(57)【要約】  本発明は、ムーブメントと；現在時刻の時についての情報を時用サンプラーに与える時用カム（40）、現在時刻の1/4時についての情報を1/4時用サンプラーに与える1/4時用カム（28）、及び現在時刻の分についての情報を分用サンプラーに与える分用カム（22）を備えた現在時刻打鐘機構とを有し；前記３つのカムが前記ムーブメントによって駆動されるように設計されており；前記1/4時用カム（28）と前記分用カム（22）とが枢軸回転可能に取り付けられ、相互に自由であり；前記分用カム（22）が、一列の60／Ｎ個の段を有すると共に一時間にＮ回転の速度でムーブメントによって駆動されるように設計された渦形カムによって作られているタイムピースに関する。【選択図】          図２
2010538247.tif 000002
【特許請求の範囲】
【請求項１】
ムーブメントと、
−現在時刻の時についての情報を時用触覚軸に与える時用カム（40）、
−現在時刻の1/4時についての情報を1/4時用触覚軸に与える1/4時用カム（28）、及び
−現在時刻の分についての情報を分用触覚軸に与える分用カム（22）
を備えた現在時刻打鐘機構とを有し、前記３つのカムが前記ムーブメントによって駆動されるように設計されており、
前記1/4時用カム（28）と前記分用カム（22）とが枢軸回転可能に取り付けられ、相互に自由であり、
前記分用カム（22）が、一列の60／Ｎ個の段を有すると共に一時間にＮ回転の速度でムーブメントによって駆動されるように設計された渦形カムによって作られているタイムピースであって、
前記ムーブメントから前記３つのカムに伝達されるエネルギーは、前記分用カムと同軸である輪列に与えられ、次いで、1/4時用カムに同軸である輪列に伝えられ、最後に正時用カムに同軸である輪列に伝えられることを特徴とするタイムピース。
【請求項２】
前記1/4時用カム（28）と前記分用カム（22）とが、２つの別個の軸に枢軸回転可能に取り付けられていることを特徴とする、請求項１に記載のタイムピース。
【請求項３】
前記分用カムが、前記ムーブメントが受け取ったエネルギーを前記1/4時用カム（28）と同軸の前記輪列に伝達するプレート（14）と同軸であり、該プレートと前記輪列との歯車比が、前記1/4時用カムが一時間に１回転するように決定されることを特徴とする、請求項２に記載のタイムピース。
【請求項４】
前記Ｎが４であることを特徴とする、請求項１〜３のいずれか一項に記載のタイムピース。
【請求項５】
前記プレート（14）が前記1/4時用カムと同軸である前記輪列と協働する設定車（24）を駆動し、ジャンパーバネ（26）が該設定車（24）又は前記輪列に作用して前記1/4時用カムを配置することを特徴とする、請求項３又は４に記載のタイムピース。
【請求項６】
前記プレートと前記分用カムとが、相互に回転するように遊びを有して取り付けられていることを特徴とする、請求項５に記載のタイムピース。
【発明の詳細な説明】
【技術分野】
【０００１】
本発明は機械時計の分野に関する。本発明は、特に、ムーブメントと
−現在時刻の時についての情報を時用触覚軸に与える時用カム、
−現在時刻の1/4時についての情報を1/4時用触覚軸に与える1/4時用カム、及び
−現在時刻の分についての情報を分用触覚軸に与える分用カム
を備えた現在時刻打鐘機構とを有するタイムピースであって、前記カムが前記ムーブメントによって駆動されるように設計されているタイムピースに関する。
【背景技術】
【０００２】
この型の機構は、要求されると、２つの異なる鐘を２本のハンマーで打つことによって、最も近い分による時刻を示すことを可能にする。また、これらのハンマーは、ハンマーが通過する際に正時と1/4時とを打鐘することも可能にする。これらのハンマーは打鐘機構によって持ち上げられるリフトによって作動される。この打鐘機構は、12本の歯、３本の歯、14本の歯をそれぞれ備えた正時を打つ正時用ラックと、1/4時を打つ1/4時用ラックと、分を打つ分用ラックとを有している。
【０００３】
従来技術の打鐘機構においては、これらのラックの動きを調節するために、時用カムが12本の歯を有して一時間に一歯ずつ前進する星形車の上に設けられており、1/4時用カムと分用カムとはピボットシャンク上で調節することができる。これらのカムと協働する触覚軸を各々が備えた３本のレバーによって、正時用ラック、1/4時用ラック及び分用ラックの移動を決定して、打鐘の数を調節することができる。
【０００４】
この型の複雑機構についての他の詳細、特にリピーターの駆動力、又は鉤解除段階、即ち、打鐘機構の起動についての詳細は、時計学の理論（Theorie de l'horlogerie）（レイモンダン等（Reymondin et al.）著、1998年、工科学校連盟（Federation des Ecoles Techniques）刊、ISBN 2-940025-10-X）の第219頁〜第224頁に見出すことができる。
【０００５】
このようにして、分用カムは一時間に１回転の速度で駆動され、４本のアームを有している。１本のアームが各1/4時に対応し、各アームが15個の等間隔で分配された段を備えている。
【０００６】
時計屋にとって、15個の段の各々において分用打鐘機構が正確に動作するように、分用カムの４本のアームを調節するのは非常に困難な課題である。実のところ、打鐘機構、特にミニッツリピーターの複雑さ故に、分用触覚軸は、部品毎に、別々の遊び、又はわずかにずれた位置を有しており、これは、各要素の大きさを考え合わせると、各段を１つ１つ調節することを必然的に必要とする。さらに、アーム毎にこの調節を明らかに忠実に再現しなければならず、これは非常に精密な作業である。
【先行技術文献】
【非特許文献】
【０００７】
【非特許文献１】時計学の理論（Theorie de l'horlogerie）（レイモンダン等（Reymondin et al.）著、1998年、工科学校連盟（Federation des Ecoles Techniques）刊、ISBN 2-940025-10-X）の第219頁〜第224頁
【非特許文献２】複雑な携帯時計（Les montres compliquees）（エフ・ルクルト（F. Lecoultre）著、時計出版（Editions Horlogeres）刊）の128〜131頁
【発明の概要】
【発明が解決しようとする課題】
【０００８】
本発明の目的は、時計師による調節と実施とがより容易である打鐘機構を提案することである。
【課題を解決するための手段】
【０００９】
より明確には、本発明は、1/4時用カムと分用カムとが枢軸回転可能に取り付けられ、相互に自由であり、一列の60／Ｎ個の段を有すると共に一時間にＮ回転の速度でムーブメントによって駆動されるように設計された渦形カムによって前記分用カムが作られているタイムピースに関する。好適には、ムーブメントからカムに伝達されるエネルギーは、前記分用カムと同軸である輪列に与えられ、次いで、1/4時用カムに同軸である輪列に伝えられ、最後に正時用カムに同軸である輪列に伝えられる。
【００１０】
ある好適な態様によると、1/4時用カムと分用カムとは、２つの別個の軸に枢軸回転可能に取り付けられる。
【００１１】
好ましくは、分用カムは、ムーブメントが受け取ったエネルギーを1/4時用カムと同軸の輪列に伝達するように設計されたプレートと同軸であり、該プレートと前記輪列との歯車比は、前記1/4時用カムが一時間に１回転するように決定される。
【００１２】
本発明によるタイムピースは、さらに、以下の特長の内のあるもの、又は別のものを有していてもよい。
−Ｎが４であること。
−前記プレートが前記1/4時用カムと同軸である前記輪列と協働する設定車を駆動し、ジャンパーバネが該設定車又は前記輪列に作用して前記1/4時用カムを配置すること。
−前記プレートと前記分用カムとが、相互に回転するように遊びを有して取り付けられていること。
【００１３】
本発明の他の特長は、添付の図面を参照してなされている以下の記載を読むことによってより明確になるであろう。
【図面の簡単な説明】
【００１４】
【図１】本発明による打鐘機構の前記３つのカムの断面図である。
【図２】本発明による打鐘機構の前記３つのカムの上面図である。
【発明を実施するための形態】
【００１５】
図示されている例において、前記３つのカムを駆動するために基礎ムーブメントによって伝達される駆動力は、一時間に４回転する車10を介してカムシステムに到達する。この車は、直径方向に対向する２本の指状体15を備えたプレート14によって支持される軸12の第一の端部に取り付けられている。より明確には、このプレート14は、摩擦によって軸12に取り付けられたソケット16に接して自由に回転する。このソケットは肩部17を有しており、そこに指示具18が打ち込まれている。この指示具は前記プレートに設けられている開口部の縁19と協働する。この開口部は前記指示具よりも大きく、前記プレートと軸との間に相対的な遊びが生じるようになっている。プレート14を軸方向に支持するために、前記軸12にはワッシャ20が取り付けられており、該プレートが前記肩部17とワッシャ20との間に維持されるようになっている。
【００１６】
分用カム22は、従来の時用カムに似ている、一列に配された15の段を有する渦形カムで成っており、その第二の端部で前記ソケット16に取り付けられている。「複雑な携帯時計（Les montres compliquees）」（エフ・ルクルト（F. Lecoultre）著、時計出版（Editions Horlogeres）刊）の128〜131頁には、このようなカムの段の大きさをどのように定めるかが説明されているので、参照してもよい。連続的に半径が変化し、従って段を有しておらず単に渦巻き形をしているカムを使用することも可能である。この場合は、２つの分の間で打鐘機構が起動されるのを避けるために、例えば、カムの駆動システムにジャンパーを配設することによって、カムを断続的に駆動することができる。
【００１７】
本発明の一つの重要な面によると、このように、分用カム22は、単一のアームと呼ぶこともできる一列に配された段のみを有し、複数のアームを有しない。タイムピースの動作を調節する時計屋は、この一列についての調節のみを行えばよい。したがって、調節に要する時間は従来の機構の1/4である。
【００１８】
設定車24が前記プレート14の平面に枢軸回転可能に取り付けられている。この設定車は前記指状体15によって駆動されるように設計されている。この設定車24の歯と咬合して、前記指状体15の１つによって押された後に設定車がジャンプを完全に行うのを助けるようにジャンパーバネ26が配設されている。このような配置関係における、前記指示具18とプレート14との間の遊びの有用性を理解することができるであろう。実際、この遊びによって、プレート14は、ジャンプの終わりの時点でジャンパーバネ26の動作を妨げることなく、また、分用カム22の位置を変化させることなく、元に戻ることができる。
【００１９】
より一般的には、分用カムは、一列に配された60／Ｎの段を有する渦形カムで成っており、一時間にＮ回転の速度でムーブメントによって駆動されるように設計される。
【００２０】
前記設定車24とは、カナ27が咬合している。設定車24の歯部に対するプレート14が有する指状体15の数の歯車比と、カナ27に対する設定車24の歯部の歯車比とは、カナが一時間に１回転するように決定される。図示されている例によると、設定車24とカナ27とはそれぞれ８つの歯を有している。プレート14が一時間に４回転の速度で回転すると、カナ27は一時間に１回転の速度で枢軸回転する。カナ27は従来の型の1/4時用カム28と同軸に接続されており、したがって、このカムも一時間で１回転することになる。
【００２１】
前記カナ27と1/4時用カム28とには、第二のプレートが同軸、且つ一体に回転するように取り付けられている。この第二のプレート30は円形の周縁部を有しており、該第二のプレートによって定められる円周を突き抜けてほぼ半径方向に延びている指状体32によって円周が遮断されている。指状体は、円の外周側に形成された凹部によって、その両側の境界が定められている。
【００２２】
駆動車34が、前記指状体32と咬合するように配置されている。この駆動車34は、該駆動車を切り抜いて延在する開口部36を有しており、切り残された駆動車自身の部分によって形成されるバネ部材38が定められている。より詳しくは、開口部36はＵ字形をしており、弾性を有するように大きさを決められたバネ部材38を形成する駆動車の部分が、Ｕ字の両腕の間に残されている。
【００２３】
駆動車34は従来の型の時用カム40に同軸に取り付けられている。この時用カム40は、駆動車34の軸を中心として自由に回転することができる。時用カム40にはピン42が固定されており、該ピンは前記開口部36の中に配置されている。このピンは、開口部36の縁又はバネ部材38と協働して、時用カム40と駆動車34とを弾力性を有して接続させ、時用カムのジャンプが確実に行われるようにしている。このことは、機構の動作についての記載を読むことによって、後ほどよりよく理解されよう。
【００２４】
時用カム40は、断続的に時用カムを駆動し、時用カムの一度の駆動と続く駆動との間にその動きを確実に遮断するように配設された駆動・遮断部材によって動かされる。
【００２５】
図示されている態様においては、駆動・遮断部材は、前記プレート30と前記駆動車34とを有して成っている。より詳しくは、駆動車34には、その周縁部に等間隔で配された、半径方向に向いた12個の切り欠き34aが設けられており、これによって12個のパッド34bが形成されている。各切り欠き34aは、前記指状体32が殆ど遊びなく収容されるように、その大きさが定められている。各パッド34bの端面は、前記プレート30の円形の周縁部に適合する曲面34cをなしている。この曲面34cの各側の端部、即ち、曲面34cと各切り欠き34aとの間に、各パッド34bは斜面34dを有している。隣接する２つの斜面34dが相互に対向して、切り欠き34aに向かって狭くなって行く漏斗の形状をしている案内部材を切り欠き34aのいずれの側にも形成するように、この斜面は配向されている。前記プレート30の中心と前記駆動車34の中心とは、各パッド34dがプレート30の周縁部と同一平面上にあるように配置されている。
【００２６】
駆動車34の周縁の形状とプレート30とによって、カナ27が回転駆動されて前記指状体32がある切り欠き34aの入口に来たとき、先に接触する斜面34dが先に接触する凹部33と協働し、切り欠き34aの両側の壁によって妨害されることなく、指状体は切り欠きの中に挿入される。この指状体が駆動車34を押し、それによって渦形カム36を前進させる。指状体が切り欠き34aから出るときには、後から接触する斜面34dが後から接触する凹部33と協働して、阻まれることなく切り欠きから出て行く。指状体32の長さと、切り欠き34aの深さとは、この指状体を押すことによってなされる前進によって、引き続いて回転して行くと、該指状体が次の切り欠き34aと係合するように決められる。指状体32が切り欠き34aの中にないときには、パッド34bがプレート30の周縁部に平行であって他の位置に移動することができないので、駆動車34の回転は阻止される。このように、指状体32が前進するとき、その前進の間隔はジャンパーバネ26によって正確に定められる。プレート30が一回転する度に、駆動車34とカム40とはジャンプによって前進し、それらの位置は完全に定められている。これによって、打鐘の正確さが保証される。
【００２７】
好適であることに、1/4時用カム28と時用カム40とは共にジャンプによって前進するが、ただ１つのジャンパーバネしか使用せず、このことは機構によって消費されるエネルギーのレベルにとって好適である。
【００２８】
さらに、時用カム40と駆動車34とが弾性を有して接続されているので、時用触覚軸が時用カム40の最も低い段と係合しているときにジャンプが起こるとすると、駆動車34は前進することができるが時用カム40は時用触覚軸に当接して動かない状態のままであり、バネ部材38が巻き上げられる。そして、バネの効果によって、時用触覚軸がその固定位置に戻った後に、時用カム40は駆動車34に対して正常な位置に戻ることができる。
【００２９】
以上の記載は、本発明を制限しない例示である。したがって、特に、軸12とそれが支持するプレートとの間のような様々な要素間の、遊びのある又は遊びのない接続は、当業者の裁量の範囲内で記載したもの以外の手段によって実現することができる。その回転速度を変更することによって、駆動車34は、12の倍数以外の別の数の切り欠きを有することができる。さらに、前記態様では1/4時用カムと分用カムとは枢軸回転可能に別個の軸に取り付けられているが、相互に強固に接続せずに同軸とすることもできる。これらのカムは、これら２つのカムの間の適切な歯車比を保証する設定車システムによって接続することが可能である。
【００３０】
当業者にとっては特別な努力をすることなく、分用カムに従来型のサプライズ・ピースを取り付けることも、勿論、可能である。サプライズ・ピースの目的は、前記プレート14がジャンプを行う時点で最も高い段を延長し、ある1/4時の開始の時点で時が打たれるときに分用触覚軸が最も低い段に落ちないようにすることである。
【図１】
2010538247.tif 000003
【図２】
2010538247.tif 000004
【国際調査報告】
2010538247.tif 000005
2010538247.tif 000006
2010538247.tif 000007
2010538247.tif 000008